(57)【特許請求の範囲】
【請求項１】
棒状のシャフト部材の周囲に弾性層を備えてなる弾性ローラを製造する弾性ローラ製造装置であって、
前記シャフト部材を軸回りに回転させる回転手段と、
前記シャフト部材に対向して配置され、前記弾性層を形成する材料を吐出して当該シャフト部材の周面に塗布する材料塗布手段と、
前記材料塗布手段の少なくとも一部を前記シャフト部材の径方向へ移動させて、前記材料の塗布層の層厚を調整する層厚調整手段と、
前記シャフト部材の軸方向で、少なくとも当該シャフト部材と前記材料塗布手段とを相対移動させる軸方向移動手段と、
少なくとも前記層厚調整手段及び前記軸方向移動手段の駆動を制御する制御手段とを備え、
前記制御手段は、前記弾性ローラの形状に関するデータを記憶した記憶部を備え、前記データに基づいて前記層厚調整手段及び前記軸方向移動手段を制御して、前記弾性ローラの弾性層を形成する、ことを特徴とする弾性ローラ製造装置。
【請求項２】
前記材料塗布手段は、前記シャフト部材の周面に向けて材料を吐出するダイ部を有し、
前記層厚調整手段は、前記ダイ部を前記シャフト部材の径方向へ移動させることにより前記塗布層の層厚を調整する、ことを特徴とする請求項１に記載の弾性ローラ製造装置。
【請求項３】
前記材料塗布手段は、前記シャフト部材の周面に向けて材料を吐出するダイ部の近傍に塗布後の材料と接触して前記塗布層の層厚を調整するブレード部を更に有し、
前記層厚調整手段は、前記ダイ部と共に前記ブレード部を前記シャフト部材の径方向へ移動させることにより前記塗布層の層厚を調整する、ことを特徴とする請求項１に記載の弾性ローラ製造装置。
【請求項４】
前記材料塗布手段は、前記シャフト部材の周面に向けて材料を吐出するダイ部の近傍に塗布後の材料と接触して前記塗布層の層厚を調整する独立して移動可能なブレード部を更に有し、
前記層厚調整手段は、前記ブレード部を前記シャフト部材の径方向でシャフト中心からの距離を変更することによって前記層厚を調整する、ことを特徴とする請求項１に記載の弾性ローラ製造装置。
【請求項５】
前記材料を硬化させる硬化手段を更に具備している、ことを特徴とする請求項１から４のいずれかに記載の弾性ローラ製造装置。
【請求項６】
棒状のシャフト部材の周囲に弾性層を備えてなる弾性ローラを製造する弾性ローラ製造方法であって、
前記シャフト部材を軸回りに回転させ、軸方向移動手段を用いて当該シャフト部材の軸方向に沿って材料塗布手段を相対移動させて材料を塗布して塗布層を形成しつつ、さらに前記材料塗布手段の少なくとも一部をシャフト部材の径方向へも移動させることにより前記塗布層の層厚を調整する層厚調整手段を用いて塗布層の層厚を調整するステップを含み、
前記弾性ローラの形状に関するデータを記憶した記憶部を備え、少なくとも前記層厚調整手段及び前記軸方向移動手段の駆動を制御する制御手段を用いて、前記データに基づいて前記層厚調整手段及び前記軸方向移動手段を制御して、前記弾性ローラの弾性層を形成する、ことを特徴とする弾性ローラ製造方法。
【発明の詳細な説明】
【技術分野】
【０００１】
本発明は、表面に弾性層を備えている弾性ローラを製造するための技術に関する。より詳細には、複写機やプリンタ等の画像形成装置で好適に適用される弾性ローラを製造するための製造装置に関する。
【背景技術】
【０００２】
複写機、プリンタ等の画像形成装置の内部には、現像ローラや帯電ローラなどのローラが配設されている。ここで、接触式の現像ローラや帯電ローラなどは感光ドラムに密着した状態を確実に保持しながら回転しなければならない。よって、金属等の材料からなる棒状のシャフト部材の外周にシリコーンゴムなどの弾性層を設けた構造の弾性ローラが従来から知られている。さらに、このような弾性ローラではシャフト部材や弾性層を形成する材料に導電性を備えたものが採用され、必要に応じて導電性を付与したローラも知られている。
【０００３】
画像形成装置の内部には、上記現像ローラや帯電ローラの他、現像ローラにトナーを供給するためのトナー供給ローラ、感光ドラムの潜像に付着したトナーを記録媒体に転写するための転写ローラ、転写後に感光ドラム上に残留するトナーを除去するためのクリーニングローラ等についても弾性層を形成した弾性ローラが採用される場合がある。このように画像形成装置内には、シャフト部材の周囲に弾性層を設けた弾性ローラが広く採用されている。
【０００４】
そこで、上記弾性ローラを製造する技術については、従来から多くの検討がされている。例えば、特許文献１は従前において最も一般的であった金型を用いた成型によるローラの製造が高コストであったことに対して、シャフト部材（被塗布物）を回転させながらダイコータで材料を塗布し、これを硬化させて弾性層を形成する技術を提案している。ここでは、ダイコータと一体にしてブレード、或いは別に配置したブレードを軸方向へ平行移動させることで、弾性層の層厚を規制している。このようにすれば、製造コストを低減して弾性ローラを製造することができる。
【０００５】
また、特許文献２は中央部に向かって肉厚が徐々に厚くなるように形成した弾性層を有する、いわゆるクラウン型と称される形状の弾性ローラについて開示している。クラウン形状の弾性ローラは、相手方の部材との接地圧（挟持圧）を均一にできるなどの効果があることが従来から知られている。特許文献２は、特許文献１と同様に弾性層を形成するための溶液をロール表面に塗布するロールコート法でクラウン形状を形成することを開示している。そして、ローラの軸方向（長手方向、或いは、トラバース方向などとも称される）への送り速度（移動速度）を変えることによって塗布量を調整してクラウン形状を形成する技術を提案している（特許文献２の段落００２９参照）。
【特許文献１】特開２００６−１８４８９５号公報
【特許文献２】特開２００５−２７４７６８号公報
【発明の開示】
【発明が解決しようとする課題】
【０００６】
ところで、近年、画像形成装置など装置側から多岐にわたる要求があり、これに応じて種々の外形の弾性ローラを精度よく製造することへの要請が高くなっている。上記特許文献１はブレードを用いて弾性層の層厚を一定に規制する技術を提案するのであって、弾性層の層厚を積極的に調整（変更）して所望の形状とすることの検討はなされていない。
一方、特許文献２の場合は、ローラの軸方向（長手方向）での送り速度を変えてクラウン形状を形成する技術について開示している。よって、特許文献２は弾性層の形状を変更することに配慮していることになる。しかし、軸方向への送り速度で塗布量を調整して、これによって弾性層の層厚を制御して外形を精度良く規定することは極めて困難である。すなわち、特許文献２で開示する技術で所望外形の弾性ローラを製造することには無理がある。
【０００７】
よって、本発明の主な目的は、低コストで、弾性層を所望の形状に精度良く形成できる弾性ローラの製造装置を提供することである。
【課題を解決するための手段】
【０００８】
上記目的は、棒状のシャフト部材の周囲に弾性層を備えてなる弾性ローラを製造する弾性ローラ製造装置であって、前記シャフト部材を軸回りに回転させる回転手段と、前記シャフト部材に対向して配置され、前記弾性層を形成する材料を吐出して当該シャフト部材の周面に塗布する材料塗布手段と、前記材料塗布手段の少なくとも一部を前記シャフト部材の径方向へ移動させて、前記材料の塗布層の層厚を調整する層厚調整手段と、前記シャフト部材の軸方向で、少なくとも当該シャフト部材と前記材料塗布手段とを相対移動させる軸方向移動手段と、少なくとも前記層厚調整手段及び前記軸方向移動手段の駆動を制御する制御手段とを備え、前記制御手段は、前記弾性ローラの形状に関するデータを記憶した記憶部を備え、前記データに基づいて前記層厚調整手段及び前記軸方向移動手段を制御して、前記弾性ローラの弾性層を形成する、ことを特徴とする弾性ローラ製造装置により達成できる。
【０００９】
そして、前記材料塗布手段は、前記シャフト部材の周面に向けて材料を吐出するダイ部を有し、前記層厚調整手段は、前記ダイ部を前記シャフト部材の径方向へ移動させることにより前記塗布層の層厚を調整する構造としてもよい。
【００１０】
また、前記材料塗布手段は、前記シャフト部材の周面に向けて材料を吐出するダイ部の近傍に塗布後の材料と接触して前記塗布層の層厚を調整するブレード部を更に有し、前記層厚調整手段は、前記ダイ部と共に前記ブレード部を前記シャフト部材の径方向へ移動させることにより前記塗布層の層厚を調整する構造としてもよい。
【００１１】
さらに、前記材料塗布手段は、前記シャフト部材の周面に向けて材料を吐出するダイ部の近傍に塗布後の材料と接触して前記塗布層の層厚を調整する独立して移動可能なブレード部を更に有し、前記層厚調整手段は、前記ブレード部を前記シャフト部材の径方向でシャフト中心からの距離を変更することによって前記層厚を調整する構造としてもよい。
【００１２】
そして、前記材料を硬化させる硬化手段を更に具備している構造とするのがより好ましい。
【００１４】
また、上記目的は、棒状のシャフト部材の周囲に弾性層を備えてなる弾性ローラを製造する弾性ローラ製造方法であって、前記シャフト部材を軸回りに回転させ、軸方向移動手段を用いて当該シャフト部材の軸方向に沿って材料塗布手段を相対移動させて材料を塗布して塗布層を形成しつつ、さらに前記材料塗布手段の少なくとも一部をシャフト部材の径方向へも移動させることにより前記塗布層の層厚を調整する層厚調整手段を用いて塗布層の層厚を調整するステップを含み、前記弾性ローラの形状に関するデータを記憶した記憶部を備え、少なくとも前記層厚調整手段及び前記軸方向移動手段の駆動を制御する制御手段を用いて、前記データに基づいて前記層厚調整手段及び前記軸方向移動手段を制御して、前記弾性ローラの弾性層を形成する、ことを特徴とする弾性ローラ製造方法によっても達成できる。
【発明の効果】
【００１５】
本発明によると、金型を用いることなく、材料塗布手段から吐出する材料を塗布してシャフト部材の周面に形成した塗布層を、材料塗布手段の少なくとも一部を前記シャフト部材の径方向へ移動させることにより目的とした形状に調整して所望形状の弾性層を得ることができる。よって、本発明の弾性ローラ製造装置によると、金型を使用しないことでコスト低減を実現しながら、更に所望の外形を備えた弾性ローラを簡単に製造できる。さらに、少なくとも前記層厚調整手段及び前記軸方向移動手段の駆動を制御する制御手段を備え、これに弾性ローラの形状に関するデータを記憶した記憶部を備えることで、所望の外形形状の弾性ローラを更に効率良く製造できる。なお、上記材料塗布手段の全体を移動することで塗布層の層厚を調整する構成でもよいし、材料を吐出する部分或いはその周辺、すなわち材料塗布手段の一部を移動させることによって塗布層の層厚を調整するように構成してもよい。
【００１６】
よって、材料塗布手段の材料を吐出するダイ部を前記シャフト部材の径方向へ移動させることにより前記材料の塗布層の層厚を調整するようにすれば、比較的簡単な構成で所望形状の弾性層を形成できる。
【００１７】
また、ダイ部の近傍にブレード部を設けて、このブレード部を径方向でシャフト中心からの距離を変更して前記材料の塗布層の層厚を調整するようにすれば、より精度良く所望形状の弾性層を形成できる。
【００１８】
更には、ダイ部の近傍に独立して移動可能なブレード部を設けて、このブレード部を径方向でシャフト中心からの距離を変更して前記材料の塗布層の層厚を調整するようにしても、精度良く所望形状の弾性層を形成できる。ブレード部は径方向へスライド移動するように構成してもよいし、所定の軸を中心に回動して先端が径方向で移動するように構成してもよい。
【００１９】
また、材料を硬化させる硬化手段を更に具備している場合には、調整後の塗布層を速やかに硬化させて弾性層とするができる。
【００２１】
シャフト部材の周面上への材料の塗布と層厚調整とを実行するステップとを含む弾性ローラ製造方法によって、コスト低減を実現しながら、所望の外形を備えた弾性ローラを効率良く製造できる。
【発明を実施するための最良の形態】
【００２２】
以下、本発明にかかる一実施形態を、図を参照して詳細に説明する。
図１は、本実施形態に係る弾性ローラ製造装置の構成を模式的に示した図である。この弾性ローラ製造装置１は、シャフト部材ＳＨを両側から挟み込んだ状態で回動可能に軸支する支持柱２、３を備えている。シャフト部材ＳＨは、弾性ローラの基材となる部材で、例えば金属製の中空または中実の棒状部材である。なお、図１は弾性ローラ製造装置１によって製造される弾性ローラＥＲがほぼ完成した状態となったときの様子を図示しており、弾性ローラＥＲは棒状のシャフト部材ＳＨの周面に弾性層ＥＬが形成されている。
【００２３】
図１で右側の支持柱３には第１のモータ４が配備されている。シャフト部材ＳＨは、この第１のモータ４により矢印ＡＲ方向へ軸回りに回転させられるようになっている。これら２個の支持柱２、３及び支持柱３側に配備した第１のモータ４により、シャフト部材ＳＨを軸回りに回転させる回転手段が構成されている。
【００２４】
上記２個の支持柱２、３はスライド板５の上面に固定されている。このスライド板５は平坦な固定台ＢＳ上にスライド可能に載置されている。そして、スライド板５の内部にはスクリュー軸６と螺合する長穴が設けてある。スクリュー軸６は第２のモータ７により両方向で回転される。よって、スライド板５は第２のモータ７の回転方向に応じて、固定台ＢＳ上をシャフト部材ＳＨの軸方向（トラバース方向）ＳＤで所定の向きへスライドされる。したがって、第２のモータ７の駆動を制御して、スライド板５上に指示されるシャフト部材ＳＨを軸方向ＳＤへスライドさせることができる。
【００２５】
そして、弾性層ＥＬを形成する材料を吐出して、シャフト部材ＳＨの周面に塗布する材料塗布手段としてダイコータ１０がシャフト部材ＳＨに対向して配置されている。ただし、図１では、前述したようにシャフト部材ＳＨに弾性層ＥＬが既に形成された状態を図示している。ダイコータ１０は、ここでは図示しないが材料供給ポンプに接続されており、先端に位置させたダイ部１１のスリットからシャフト部材ＳＨの外周に向けて材料を吐出（射出）させてシャフト部材の周面上に材料を塗布した層を形成する。ここで塗布する弾性層形成用の材料は、硬化したときに弾性層ＥＬを形成できる公知の材料を適宜に選択すればよい。また、シャフト部材ＳＨとして良導電性材料を採用し、材料にはカーボンブラックや金属粉などを分散させておくと弾性層ＥＬを導電性とすることができる。
【００２６】
ただし、本実施形態では弾性ローラをより効率的に製造するため、シャフト部材ＳＨの周面に材料を塗布した後、これを硬化させる硬化手段を配置する構造を例示している。そして、この硬化手段として紫外線照射装置を採用している。よって、本実施形態では弾性層ＥＬを形成する材料として、紫外線硬化性の材料が採用されている。このような紫外線硬化性の材料として、ポリエステル樹脂、ポリエーテル樹脂、フッ素樹脂、エポキシ樹脂、アミノ樹脂、ポリアミド樹脂、アクリル樹脂、アクリルウレタン樹脂、ウレタン樹脂、アルキッド樹脂、フェノール樹脂、メラミン樹脂、尿素樹脂、シリコーン樹脂、ポリビニルブチラール樹脂、ビニルエーテル系樹脂、ビニルエステル系樹脂およびこれら樹脂に特定の官能基を導入した変性樹脂等を採用することができる。これら樹脂は、１種単独でも、２種以上を混合して用いてもよい。上記樹脂には、前記導電剤の他、必要に応じて反応性希釈剤を含むことができる。上記樹脂には、光重合開始剤、光重合促進剤を含むのが好ましい。その他、必要に応じて公知の添加剤を含んでもよい。
【００２７】
本弾性ローラ製造装置１では材料を吐出するダイコータ１０と並列に、シャフト部材ＳＨに対向してスポット型の紫外線照射装置２０が配備されている。これにより、ダイコータ１０でシャフト部材ＳＨの周面に塗布された材料に対して、紫外線照射装置２０から紫外線を照射することで、これを速やかに硬化させることができる。よって、このようにダイコータ１０の傍に紫外線照射装置２０を配置する構成にすると、シャフト部材ＳＨ上に塗布した材料に紫外線を照射して硬化処理されるのことができるので早期に形状を安定化させることができる。
【００２８】
この弾性ローラ製造装置１は弾性層ＥＬの形状を所望の外形にするための新規な構成を備えている。更にこの点について説明する。
シャフト部材の周面に塗布する材料塗布手段としてのダイコータ１０は、径方向ＲＤへスライド可能に設定したスライド台３１に載置されている。このスライド台３１は第３のモータ３２により、シャフト部材ＳＨの中心へ接近する方向、及び、シャフト部材ＳＨの中心から離れる方向へ移動される。この動作により、ダイコータ１０によってシャフト部材ＳＨ上に塗布された硬化前の材料塗布層（以下、塗布層と称す）の層厚を積極的に調整して、弾性層ＥＬの外形を所望形状にする。ここでは、上記スライド台３１および第３のモータ３２により層厚調整機構（層厚調整手段）３０が構成されている。このように、弾性ローラ製造装置１は層厚調整機構３０を備えているので、塗布層の層厚を所望に調整してから紫外線照射装置２０で硬化させることができる。したがって、この弾性ローラ製造装置１は、製品となる弾性ローラＥＲの外形形状、より詳細には弾性層ＥＬの形状を所望の外形に形成できる。
【００２９】
更に、弾性ローラ製造装置１が備えているのが好ましい構成を説明する。弾性ローラ製造装置１は、全体を制御するコントローラ４０を備えており、弾性ローラＥＲの外形を所望形状に形成する。コントローラ４０は、前述した各構成、すなわちシャフト部材ＳＨを回転させる第１のモータ４、シャフト部材ＳＨを軸方向ＳＤへスライドさせる第２のモータ７、ダイコータ１０を径方向ＲＤへスライドさせる第３のモータ３２、弾性層ＥＬを形成する材料を吐出するダイコータ１０、そして紫外線照射装置２０の駆動を制御して弾性ローラＥＲの外形を形成する。コントローラ４０には、操作者が所望する形状について指示を入力するための指示入力部４１が設けられている。また、弾性ローラＥＲの製造に係るデータを記憶している記憶部としてメモリ部４２が接続されている。このメモリ部４２に格納されている上記データには、製造することができる弾性ローラＥＲの外形形状に関する一連のデータが含まれている。例えば、この外形形状データには、弾性層ＥＬをフラット（平坦）で一定の層厚とする場合、弾性層ＥＬの中央部を盛り上げたクラウン形状とする場合、これと逆に弾性層ＥＬの両端部を盛り上げた逆クラウン形状とする場合、さらに層厚を変更するときスムーズなテーパ状に形成する場合、段状に形成に形成する場合などのデータを含めることができる。
【００３０】
本弾性ローラ製造装置１による動作を概略する。操作者が指示入力部４１を介して所定の指示をしたときに弾性ローラ製造装置１が起動されて、コントローラ４０が制御を開始する。まず、このコントローラ４０は指示入力部４１からの指示に基づいて、必要なデータをメモリ部４２から読み出して弾性ローラ製造を実行する。ここで、必要量の材料をダイコータ１０のダイ部１１から吐出させると共に、第１のモータ４及び第２のモータ７の回転を適正に制御して、シャフト部材ＳＨの周面上に材料を塗布する。ここで、コントローラ４０は上記データに基づいて第３のモータ３２の駆動を制御して材料を吐出するダイコータ１０の径方向ＲＤでの位置を変更することにより、先端にあるダイ部１１の位置を高精度に調整する。
【００３１】
コントローラ４０は、例えば図２に示すように、１）フラット面を形成する場合は塗布層が所定の一定層厚となるように、ダイ部１１の位置を径方向ＲＤで一定位置に調整する。また、２）クラウン形状を形成する場合は軸方向ＳＤで塗布層の中央部が肉厚となるように、ダイ部１１の位置をデータに基づいて変化させる。また、３）逆クラウン形状を形成する場合は軸方向ＳＤで塗布層の両端部が肉厚となるようにダイ部１１の位置をデータに基づいて変化させる。
なお、図２は縦軸を径方向ＲＤとして、例示的に示した弾性ローラの塗布層外形例３種類の線図（直線１本と曲線２本）を示している。各線図は、シャフト部材ＳＨの軸線からのダイ部１１の位置軌跡を示すものとなるが、図２ではクラウン形状の場合に下に凸状となるような曲線で示している。よって、逆クラウン形状が逆となる。図２は例示的に３つのパターンを示したが、前述したように弾性ローラを段状の外形などとしてもよい。
【００３２】
この後、コントローラ４０は紫外線照射装置２０を起動して、塗布層に紫外線を照射することにより硬化させて弾性層ＥＬを備えた弾性ローラＥＲを形成する。すなわち、コントローラ４０は、上記のようダイ部１１から吐出させる材料により塗布層を形成しつつ、その径方向位置を変更することで層厚を調整して塗布層の外形形状を所望のものにする。そして、その直後に紫外線照射装置２０で速やか硬化させて弾性層ＥＬを形成できる。
【００３３】
以上で説明した弾性ローラ製造装置１では、金型を用いることなく、ダイコータ１０から材料を吐出させてシャフト部材ＳＨの周面に塗布するときに、ダイ部１１の位置を変更して層厚を調整して目的とした形状としている。この後に紫外線照射装置２０で、調整後の塗布層を硬化させて弾性層ＥＬとする。よって、この弾性ローラ製造装置１によると、コスト低減を実現しながら、所望の外形を備えた弾性ローラを製造できる。そして、コントローラ４０に接続してあるメモリ部４２に、製造要求のある弾性ローラの形状に関するデータを予め記憶させておけば所望の弾性ローラを効率良く製造できる。
【００３４】
（変形例）
図1で示した弾性ローラ製造装置１は、ダイコータ１０全体をシャフト部材ＳＨの径方向ＲＤに移動することにより、材料を吐出するダイ部１１の位置を変更して層厚を調整する。ここでの層厚調整手段は、ダイコータ１０を載置するスライド台３１とこれを移動させる第３のモータ３２である。しかし、塗布層ＥＬの層厚を調整するための層厚調整手段の構成は、図１に示すものに限らない。
【００３５】
さらに、図を参照して、採用可能な他の構成を説明する。図３（Ａ）は、ダイコータ１０とその周辺構成例を模式的に示した図である。ここでは、ダイ部１１の近傍下側に、シャフト部材ＳＨ上に形成された塗布層ＥＲに接触して層厚を調整するブレード部３５を更に有するダイコータの構成例を示している。ブレード部３５はその先端３５ＴＰで硬化前の塗布層に接触して層厚を調整する。この図３（Ａ）で例示する構成は、前述した場合と同様に、ダイコータ１０本体がスライド台３１上を径方向ＲＤへ移動することで、ブレード部３５の位置を変更して塗布層ＥＬの層厚が調整される。なお、図１及びこの図３（Ａ）で示した構造例は、ダイコータ１０全体を移動させて層厚調整を行うものであるが、ダイ部１１或いはダイ部１１及びブレード部３５の部分（すなわち、ダイコータ１０の一部）を可動に構成して層厚調整するようにしてもよい。
【００３６】
図３（Ｂ）は、ダイコータ１０とその周辺の他の構成例を模式的に示した図である。ここで示すブレード部３５は、ダイコータ１０の他の構成とは独立して径方向へ移動可能に形成してある。このブレード部３５は背部側（図で右側）で、モータ３６によって駆動されるスクリュー軸３７に接続されている。よって、ブレード部３５はモータ３６を正逆回転させて径方向ＲＤへ移動できる。このような構成では、ブレード部３５だけを駆動して精度良い層厚調整を行える。
【００３７】
なお、上記のようにブレード部だけを駆動して層厚調整する構成は、上記のようにシャフト部材ＳＨの径方向ＲＤへ移動する形態に限らない。所定位置ＰＴを中心にブレード部３５を回動して、その先端３５ＴＰが矢印ＣＡで示す所定の円弧範囲を移動する形態ともよい。このように構成するとブレード部３５の先端３５ＴＰをシャフト部材ＳＨの中心に接近させたり、離したりすることができる。すなわち、この場合も、シャフト部材ＳＨの中心からブレード部３５の径方向での距離を変更して、塗布層ＥＬの層厚を所望に調整できる。
【００３８】
また、図1で図示する例では、ダイコータ１０及び紫外線照射装置２０を軸方向ＳＤで定位置として、シャフト部材ＳＨを軸方向ＳＤへ移動させる構造として説明した。よって、前述した例では固定台ＢＳ、スライド板５及びスクリュー軸６を駆動する第２のモータ７が軸方向移動手段を構成している。しかし、塗布層厚を調整するための構成としては、少なくともダイコータ１０とシャフト部材ＳＨとが軸方向ＳＤで相対移動する構造が実現されていればよい。例えば、シャフト部材ＳＨの位置を軸方向ＳＤで固定して、上記ダイコータ１０及び紫外線照射装置２０を移動体上に設置して軸方向ＳＤへ移動するような上記とは逆の構造を採用してもよい。
【００３９】
更に、前述した例では、紫外線硬化型の材料を採用しているので、紫外線照射装置２０が材料を硬化させる硬化手段となっていたが、これに限らない。採用する材料に応じて、硬化手段を変更する。例えば、熱によって硬化する材料を採用することとした場合は、硬化手段として加熱用ヒータなどを配置すればよい。
【００４０】
以上本発明の好ましい実施形態について詳述したが、本発明は係る特定の実施形態に限定されるものではなく、特許請求の範囲に記載された本発明の要旨の範囲内において、種々の変形・変更が可能である。
【産業上の利用可能性】
【００４１】
以上の説明から明らかなように、この発明によれば画像形成装置などで使用する弾性ローラを低コストで所望形状に製造する弾性ローラ製造装置を提供できる。
【図面の簡単な説明】
【００４２】
【図１】本実施形態に係る弾性ローラ製造装置の構成を模式的に示した図である。
【図２】ダイ部の位置を調整して形成できる塗布層を例示した図である。
【図３】変形例を模式的に示した図である。
【符号の説明】
【００４３】
１                    弾性ローラ製造装置
２、３                支持柱
４                    第１のモータ
７                    第２のモータ
１０                  ダイコータ（材料塗布手段）
１１                  ダイ部
２０                  紫外線照射装置（硬化手段）
３０                  層厚調整機構（層厚調整手段）
３５                  ブレード部
４０                  コントローラ（制御手段）
４２                  メモリ部（記憶部）
ＥＲ                  弾性ローラ
ＥＬ                  弾性層
ＳＨ                  シャフト部材
ＳＤ                  軸方向
ＲＤ                  径方向
ＡＲ                  シャフト部材の回転方向
【図１】
0005403893.tif 000002
【図２】
0005403893.tif 000003
【図３】
0005403893.tif 000004